(57)【要約】  【課題】  ゴミ受けカゴ内に溜まるゴミが見え難く、箸やスプーンが落ち難く、洗い易い蓋を提供すること。  【解決手段】  平面視ほぼ半円状の平板部１３の端縁ｍと、平面視ほぼ半円状で下方に凹入する湾曲板部１２の端縁ｎとで形成される排水用開口６を有し、流し１の排水口１ａの上部に設置されているゴミ受けカゴ３を覆うように設けられる剛性の蓋４において、前記湾曲板部１２を互いに対称の形状となるように二つに区分する切欠き１５を設けてある。  【選択図】  図２
2005273140.tif 000002
【特許請求の範囲】
【請求項１】
平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる剛性の蓋において、前記湾曲板部を互いに対称の形状となるように二つに区分する切欠きを設けてあることを特徴とする蓋。
【請求項２】
排水用開口を有し、流しの排水口の上部に設置されているゴミ受けカゴを覆うように設けられる剛性の蓋において、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してあることを特徴とする蓋。
【発明の詳細な説明】
【技術分野】
【０００１】
この発明は、流しの排水口の上部に設けられる蓋に関するものである。
【背景技術】
【０００２】
図１０、図１１に示すように、流し７０の排水口７０ａには、下流側が排水パイプに接続するよう取り付けられたゴミ受けカゴ収容容器７１と、この収容容器７１に着脱自在に収容されるゴミ受けカゴ７２と、このゴミ受けカゴ７２を覆うよう、前記収容容器７１の上部にはめ込まれて使用される菊割れフタ７３とが備わっている。  
【０００３】
ところで、本出願人は、菊割れフタの切り取り部分を、はさみ、カッターナイフ等の工具を用いることなく手で前記排水口の大きさに適合するサイズに容易に切り取ることができる菊割れフタを提案している（特願２００３−２７７０８２号、ただし、いわゆる公知公用ではない。）。
【発明の開示】
【発明が解決しようとする課題】
【０００４】
菊割れフタ７３は、底部に複数の菊割れ舌片７４を有し、例えば底部の中心部分に小さな排水用丸孔７５を有するとともに、ゴミ受けカゴ７２に連通する複数の小さな排水用長孔７６を有して前記カゴ７２内に溜まるゴミが見え難い形状をしているが、前記舌片７４がゴム製であるので、これが変形して箸やスプーンが前記カゴ７２に落ち易いという問題や、洗い難い形状をしており例えばヌメリを除去し難いという問題があり、菊割れフタ７３に代わるものが望まれる。
【０００５】
この発明は、上述の事柄に留意してなされたもので、その目的は、ゴミ受けカゴ内に溜まるゴミが見え難く、箸やスプーンが落ち難く、洗い易い蓋を提供することである。
【課題を解決するための手段】
【０００６】
上記目的を達成するために、請求項１に記載された発明の蓋は、平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる剛性の蓋において、前記湾曲板部を互いに対称の形状となるように二つに区分する切欠きを設けてある。
【０００７】
また、請求項２に記載された発明の蓋は、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してある。
【発明の効果】
【０００８】
請求項１に記載された発明では、平面視ほぼ半円状の平板部の端縁と、平面視ほぼ半円状で下方に凹入する湾曲板部の端縁とで形成される排水用開口を有し、かつ、蓋は剛性に形成されている。このように、排水用開口は平板部の端縁から下方の湾曲板部の端縁の間に形成されているので、ゴミ受けカゴ内に溜まるゴミが平面視において見え難い。また、蓋は変形し難く、かつ、前記排水用開口の上下間の幅を適宜の大きさに設定すれば、箸やスプーンが例えば平板部の端縁と湾曲板部の上面に当たりながら平板部と湾曲板部とに保持されるので、ゴミ受けカゴ内に落ち難くできる。
また、請求項１に記載された発明では、前記湾曲板部を互いに対称の形状となるように二つに区分する切欠きを設けてある。この切欠きを例えばスリット状にすると、前記切欠きからも箸やスプーンが落ち難い。そして、前記切欠きによって前記湾曲板部が互いに対称の形状となるように二つに区分されるので、平面視において蓋は排水用開口と切欠きによって、あたかも、三区分されたようなデザイン的に斬新な形状となり、見栄えがする。
【０００９】
また、請求項２に記載された発明では、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してある。すなわち、互いに隣り合う平板部と前記湾曲板部のそれぞれ端縁同士によって四つの排水用開口が形成されており、かつ、蓋は変形し難い剛性に形成されている。更に、平面視において蓋は、四つの排水用開口部分を介してあたかも、四区分されたようなデザイン的に斬新な形状となり、見栄えがするとともに、箸やスプーンが例えば平板部の端縁と湾曲板部の上面に当たりながら平板部と湾曲板部とに保持されるので、ゴミ受けカゴ内に落ち難くできる。
【発明を実施するための最良の形態】
【００１０】
以下、この発明の実施形態を、図を参照しながら説明する。なお、それによってこの発明は限定されるものではない。
【００１１】
図１〜図３は、この発明の第１の実施形態を示す。
図１〜図３において、流し１の排水口１ａには、下流側が排水パイプ（図示せず）に接続するよう取り付けられたほぼ筒状のゴミ受けカゴ収容容器２と、この収容容器２の上部空間Ｓに着脱自在に収容されるゴミ受けカゴ３と、このゴミ受けカゴ３を覆うよう、前記収容容器２の上方開口２ａにはめ込まれて使用される合成樹脂製で剛性の蓋４とが備わっている。ゴミ受けカゴ収容容器２は、公知のものが使用されており、上方開口２ａを形成する環状の外向きフランジ５を介して排水口１ａに取り付けられている。
【００１２】
前記蓋４は、平面視円形に形成されており、また、排水用開口６を平面視におけるほぼ中央に有する。また、前記蓋４は、平坦な環状の上面外周部７と、この上面外周部７の外周側から垂下した環状の垂下部８と、前記上面外周部７のほぼ半周部分における内周側から内側で、上方側に緩やかに傾斜する傾斜部９と、この傾斜部９から内側にほぼ平坦に連設されて端縁ｍに至る、平面視ほぼ半円状の平板部１０と、前記上面外周部７の残りのほぼ半周部分における外周側から内側に所定幅Ｌを有する形でほぼ平坦に連設される連設部１１と、この連設部１１から内側で下方に凹入するよう形成された平面視ほぼ半円状の湾曲板部１２とで構成されている。
【００１３】
前記端縁ｍは、平面視ほぼ半円状の平板部１０の直径部分である。ｎは、平面視ほぼ半円状で下方に凹入する前記湾曲板部１２の端縁である。この端縁ｎは、前記湾曲板部１２の平面視における直径部分である。そして、前記排水用開口６は、前記端縁ｍおよび端縁ｎによって形成されている。なお、この実施形態では前記端縁ｎは、前記湾曲板部１２と連設部１１に跨がっている。また、前記端縁ｍは、前記平板部１０から傾斜部９に跨がっている。
【００１４】
１５は、前記湾曲板部１２に設けた一つの切欠きで、前記湾曲板部１２を互いに対称の形状となるように二つに区分している。この切欠き１５は、湾曲板部１２の下縁ｎの中央から、湾曲板部１２の湾曲面１２ａに沿って真っ直ぐに湾曲板部１２が切込まれて前記連設部１１の内縁１１ａに至る。  
なお、ゴミ受けカゴ収容容器２の胴の上部に形成されているストレート部分２ｄとフランジ５間に設けた環状の段差５ａに、蓋４の垂下部８を載置することにより、蓋４を排水栓２に嵌め込むことができる。
【００１５】
図４、図５は、この発明の第２の実施形態を示す。なお、この実施形態でも上記第１の実施形態で用いたのと同一のゴミ受けカゴ収容容器２を用いている。また、図４、図５において、図１〜図３で用いた符号と同一のものは同一または相当物である。
【００１６】
図４、図５において、４’は、流しの排水口の上部に設置されているゴミ受けカゴを覆うように設けられる合成樹脂製で剛性を有する蓋である。蓋４’は、平面視円形に形成されており、端縁ｍおよび端縁ｎによって形成される排水用開口６を平面視における中央に有し、また、平坦な環状の上面部２４、この上面部２４の外周側から垂下した環状の垂下部２５、前記上面部２４のほぼ半周部分における内周側から内側で下方に凹入する平面視ほぼ半円状の湾曲板部１２’および前記上面部２４の残りのほぼ半周部分における外周側から内側にほぼ平坦に連設されて前記端縁ｍに至る、平面視ほぼ半円状の平板部２６で構成されている。２７は、前記湾曲板部１２’を互いに対称の形状となるように二つに区分する切欠きである。この切欠き２７は、湾曲板部１２’の端縁ｎの中央から、湾曲板部１２’の湾曲面１２ｂに沿って真っ直ぐに湾曲板部１２’が切込まれて前記上面部２４の内縁２４ａに至る。
【００１７】
図６、図７は、この発明の第３の実施形態を示す。なお、この実施形態でも上記第１，２の実施形態で用いたのと同一の排水栓２を用いている。また、図６、図７において、図１〜図５で用いた符号と同一のものは同一または相当物である。
【００１８】
図６、図７において、４’’は、流し１の排水口１ａの上部に設置されているゴミ受けカゴ３を覆うように設けられる蓋である。この蓋４’’は、平面視円形に形成されており、合成樹脂製で剛性を有する。前記蓋４’’は、平面視ほぼ扇形状の一対の平板部３０，３１と、平面視ほぼ扇形状で下方に凹入する一対の湾曲板部１２ｃ，１２ｄとを備え、前記平板部３０，３１と湾曲板部１２ｃ，１２ｄとは平面視において互いに隣り合う状態で配置され、前記平板部３０，３１の端縁ｍ1 ，ｍ3 、ｍ2 ，ｍ4 と前記湾曲板部１２ｃ，１２ｄの端縁ｎ2 ，ｎ3 、ｎ1 ，ｎ4 とで排水用開口６を形成してある。そして、平板部３０，３１同士が対角線上に位置している。また、湾曲板部１２ｃ，１２ｄ同士が対角線上に位置している。１１ｂ，１１ｃは、蓋４’’の上面外周部７の円周角でほぼ９０°に対応する部分における外周側から内側に所定幅Ｌを有する形でほぼ平坦に連設される連設部である。なお、９，９は、前記上面外周部７の円周角でほぼ９０°に対応する部分における内周側から内側で、上方側に緩やかに傾斜する傾斜部である。
【００１９】
図８、図９は、この発明の第４の実施形態を示す。なお、この実施形態でも上記第１，２，３の実施形態で用いたのと同一のゴミ受けカゴ収容容器を用いている。また、図８、図９において、図１〜図７で用いた符号と同一のものは同一または相当物である。
【００２０】
図８、図９において、４’’’は、流し１の排水口１ａの上部に設置されているゴミ受けカゴ３を覆うように設けられる蓋である。この蓋４’’’は、平面視円形に形成されており、合成樹脂製で剛性を有する。前記蓋４’’’は、平面視ほぼ扇形状の一対の平板部４０，４１と、平面視ほぼ扇形状で下方に凹入する一対の湾曲板部１２ａ’，１２ｂ’とを備え、前記平板部４０，４１と湾曲板部１２ａ’，１２ｂ’とは平面視において互いに隣り合う状態で配置され、前記平板部４０，４１の端縁ｍ1 ，ｍ3 、ｍ2 ，ｍ4 と前記湾曲板部１２ａ’，１２ｂ’の端縁ｎ2 ，ｎ3 、ｎ1 ，ｎ4 とで排水用開口６を形成してある。また、前記平板部４０，４１は、前記上面部２４の円周角でほぼ９０°に対応する部分における外周側から内側にほぼ平坦に連設されて前記端縁ｍ1 ，ｍ3 、ｍ2 ，ｍ4 ｍに至る。そして、平板部４０，４１同士が対角線上に位置するとともに、湾曲板部１２ａ’，１２ｂ’同士が対角線上に位置している。
【図面の簡単な説明】
【００２１】
【図１】この発明の第１の実施形態における使用状態をを示す構成説明図である。
【図２】上記実施形態を示す平面図である。
【図３】上記実施形態を示す縦断面図である。
【図４】この発明の第２の実施形態を示す平面図である。
【図５】上記第２の実施形態を示す縦断面図である。
【図６】この発明の第３の実施形態を示す平面図である。
【図７】上記第３の実施形態を示す縦断面図である。
【図８】この発明の第４の実施形態を示す平面図である。
【図９】上記第４の実施形態を示す縦断面図である。
【図１０】ゴミ受けカゴ収容容器の設置状態を示す説明図である。
【図１１】従来例を示す斜視図である。
【符号の説明】
【００２２】
１          流し
１ａ        排水口  
３          ゴミ受けカゴ
４          蓋
６          排水用開口
１０        平板部
１２        湾曲板部
１５        切欠き
ｍ          端縁
ｎ          端縁
【図１】
2005273140.tif 000003
【図２】
2005273140.tif 000004
【図３】
2005273140.tif 000005
【図４】
2005273140.tif 000006
【図５】
2005273140.tif 000007
【図６】
2005273140.tif 000008
【図７】
2005273140.tif 000009
【図８】
2005273140.tif 000010
【図９】
2005273140.tif 000011
【図１０】
2005273140.tif 000012
【図１１】
2005273140.tif 000013